(57)【要約】【課題】  従来技術の画像ファイルの暗号化ではパスワードを忘れた場合は画像ファイルを元に戻せないという問題があった。【解決手段】  画像入力装置により入力画像をＮ×Ｍ（Ｎ, Ｍは正の整数）個の複数画像に分割する手段と、前記分割した画像をその名前からは復元後における並びを推定できないようなファイル名で関連づけて管理する手段と、前記分割した画像を前記対応づけられたファイル名で保存する手段と、印刷時にＮ×Ｍの割付印刷を利用して前記分割したファイルから原画像を復元する手段を有することを特徴とする。【選択図】  図１
2008053821.tif 000002
【特許請求の範囲】
【請求項１】
画像入力装置により入力画像をＮ×Ｍ（Ｎ, Ｍは正の整数）個の複数画像に分割する手段と、前記分割した画像をその名前からは復元後における並びを推定できないようなファイル名を付けて管理する手段と、前記分割した画像を前記対応づけられたファイル名で保存する手段と、印刷時にＮ×Ｍの割付印刷を利用して前記分割したファイル名から原画像を復元する手段を有することを特徴とする画像処理装置。
【請求項２】
請求項１において、前記ＮｘＭの設定はセキュリティレベルの設定で決定されることを特徴とする画像処理装置。
【請求項３】
請求項１において、前記分割ファイル名はパスワードで決定されることを特徴とする画像処理装置。
【請求項４】
請求項１において、前記分割ファイルの画像の向きを単方向、複数方向、反転方向、及びその組み合わせを設定することを特徴とする画像処理装置。
【請求項５】
請求項１において、複数ファイルを一括スキャンする場合に、１つの画像として処理を行うことを特徴とする画像処理装置。
【請求項６】
請求項３において、前記パスワードは前記入力装置本体を特定する識別番号であることを特徴とする画像処理装置。
【請求項７】
請求項６において、読み取り時に前記入力装置の識別番号を自動取得して、それをパスワードとすることを特徴とする画像処理装置。
【請求項８】
請求項４において、前記パスワードは前記入力装置本体を特定する識別番号であることを特徴とする画像処理装置。
【請求項９】
請求項８において、読み取り時に前記入力装置の識別番号を自動取得して、それをパスワードとすることを特徴とする画像処理装置。
【請求項１０】
請求項５において、前記パスワードは前記入力装置本体を特定する識別番号であることを特徴とする画像処理装置。
【請求項１１】
請求項１０において、読み取り時に前記入力装置の識別番号を自動取得して、それをパスワードとすることを特徴とする画像処理装置。
【発明の詳細な説明】
【技術分野】
【０００１】
本発明は、画像入力装置において、スキャン画像のセキュリティに関するものであり、スキャナドライバによる画像分割方法と、プリンタドライバを用いた画像の割付印刷機能を用いて復元することを実現する画像処理装置および方法に関するものである。
【背景技術】
【０００２】
一般に、内容の機密保持が重要とされる機密書類は、例えば、“秘”マークを書類に付加するとともに保管及び管理を厳重にすることで機密が維持される。その一方で、上記“秘”マークが付加された書類であっても、外部へ持出し或いは複写は比較的容易である。
【０００３】
このことから、上記“秘”マークを書類に付加する方法では、機密の十分な管理及び維持は、実質的に不可能である。
【０００４】
また従来では、スキャナ装置などでスキャンした画像を暗号化する場合には、スキャンした画像ファイルをＰＣ上でパスワードを用いて暗号化して、必要な時にパスワードを入力して復元するのが一般的であった。
【０００５】
この発明の目的は、十分な機密保持能力を有し、その一方で、必要に応じて、情報の取り出しが容易にできる複写システムなどを提供するものである。
【特許文献１】特開平０５-２７６４０１号公報
【発明の開示】
【発明が解決しようとする課題】
【０００６】
しかしながら、従来技術の画像ファイルの暗号化ではパスワードを忘れた場合は画像ファイルを元に戻せないという問題があった。
【０００７】
また、「特開平０５-２７６４０１」では、複写装置において、暗号モード時のコピーで画像ファイルを分割して位置をバラバラに配置して画像を印刷する。さらに、復号モード時に先ほど暗号コピーした印刷結果を用いてコピーすると、原画像がコピーされるという技術である。しかしながら、この、「特開平０５-２７６４０１」では、コピーのコピーとなるため画像劣化が激しいという問題がある。また、コピー時における原稿の配置精度により正確な復元は困難と考えられる。
【課題を解決するための手段】
【０００８】
上記目的を達成するため、本発明は以下の構成を特徴とする。
【０００９】
即ち、画像入力装置により入力画像をＮ×Ｍ（Ｎ, Ｍは正の整数）個の複数画像に分割する手段と、前記分割した画像をその名前からは復元後における並びを推定できないようなファイル名を付けて管理する手段と、前記分割した画像を前記対応づけられたファイル名で保存する手段と、印刷時にＮ×Ｍの割付印刷を利用して前記分割したファイルから原画像を復元する手段を有することを特徴とする。
【発明の効果】
【００１０】
以上説明したように、本発明によれば、画像入力装置により入力画像をＮ×Ｍ（Ｎ, Ｍは正の整数）個の複数画像に分割する手段と、前記分割した画像をその名前からは復元後における並びを推定できないようなファイル名を付けて管理する手段と、前記分割した画像を前記対応づけられたファイル名で保存する手段と、印刷時にＮ×Ｍの割付印刷を利用して前記分割したファイルから原画像を復元する手段を有することを特徴とする装置でスキャン及び印刷することを行うことによって、印刷時にのみ画像を復元できるので、画像がPCにファイルとして存在してもどのような画像ファイルかが簡単には判断できないためセキュリティが高い暗号化であると言える。
【００１１】
また、復元後における並びを推定できないようなファイル名を付ける場合に、パスワードでそのファイル名を決定するが、ＰＣはそのパスワードをスキャンした時のマルチファンクションプリンタ（以下ＭＦＰと呼ぶ）のシリアル番号を取得し、それをパスワードとして暗号化するため、復元する場合にはスキャンした時のＭＦＰが必ず必要になるため、画像ファイルだけが盗難にあったとしても解読が困難になる。
【発明を実施するための最良の形態】
【００１２】
以下、図面を参照して本発明の実施形態について説明する。
【実施例１】
【００１３】
図１は、本発明における１つの画像ファイルの画像暗号化から復号化して印刷するまでの一実施形態を示すシステム構成を示すブロック図である。
【００１４】
入出力装置１０５は、例えばカラースキャナとカラープリンタがひとつとなったＭＦＰである。プリンタ部１０７は、イエロー（Ｙ），マゼンタ（Ｍ），シアン（Ｃ），ブラック（Ｋ）の４色のインクを用い、プリント用紙にカラープリント出力を行うものである。スキャナ部１０６は、プリンタ部の上部などに搭載されているフラットベッドタイプのカラーイメージスキャナである。
【００１５】
制御装置（PC）１００は、ＣＰＵを有し、本システムに関するデータ処理や各部機械的要素の動作制御を実行する。記憶装置は、ＲＯＭ，ＲＡＭ等のメモリやハードディスク、さらにフレキシブルディスク等の外部記憶装置の全体からなるものである。本発明でのスキャナドライバ１０１、プリンタドライバ１０２、印刷アプリケーション１０４がインストールされている。また、ＭＦＰ１０５とPC１００は双方向通信が可能であり、PCは本体の情報（紙なし・紙ジャム・搭載カートリッジ・本体のシリアル番号など）を取得できるものである。原画像１０８はＭＦＰ１０５の原稿台に設置するものであり、スキャン画像のファイル群１０３はスキャン画像が分割・暗号化されたファイル群であり、復号化画像の印刷結果１０９はＭＦＰ１０５での印刷結果である。
【００１６】
例えば、プリントされた写真をＭＦＰのスキャナ部でスキャナドライバ機能のセキュリティモード（分割スキャンモード）を用いて読み取り、印刷して画像を復元する場合の処理を図２のフローチャートに示す。まず、ユーザはＭＦＰの読み取り部に写真を設置する（Ｓ２０１）。次に、ユーザはPCにインストールされているスキャナドライバを起動して、好みの設定を行う（Ｓ２０２）。この時、スキャナドライバの設定は、図３の３００に示すとおり、スキャンモード、出力解像度、原稿サイズなどがある。さらには、本発明の特徴であるセキュリティモード（分割スキャンモード）の設定がある。スキャンモードの指定（３０１）は、用途によってカラー（写真）・カラー（雑誌・カタログ）・グレースケールなどがある（図４の４００）。解像度の指定（３０２）は、75dpi・150dpi・300dpi・600dpiなどがある（図５の５００）。原稿サイズの指定（３０３）は、例えば、A4・B5・L判・はがき・ユーザ設定などがある（図６の６００）。原稿サイズに関しては、ユーザが設置したドキュメントサイズどおりスキャンする自動モード（オートクロップ処理）も考えられる。セキュリティ分割スキャンの指定（３０４）に関しては、縦横の分割数の指定（３０５）と分割画像の方向を指定（３０６）できる。分割数の指定は、1以上の整数値である。また、分割数を指定するのではなく、セキュリティレベルとして指定できてもよい。例えば、レベル１：４×４、レベル２：１６×１６、レベル３：６４×６４などと固定値にする。画像の方向に関しては、図７に示すように上方向のみの単方向（上）・上下左右の四方向（上下左右）・上下左右反転の四方向反転が考えられる（７００）。セキュリティの面を考えると、単方向（上）、四方向（上下左右）、四方向反転  の順にセキュリティが強化される。これらの設定を行い、例えば、分割数：５×５・画像方向：単方向（上）を指定して、３０７のスキャンボタンを押す。すると、パスワード設定画面（図８）がポップアップされユーザにパスワードの入力を促す（Ｓ２０３）。次に、エンターキーを押すとスキャン動作が開始され、図９のようなスキャン画像を取得する（Ｓ２０４）。次に、スキャナドライバは指定した分割数（５×５）でスキャン画像を分割する（図１０）（Ｓ２０５）。次に、ユーザが入力したパスワードを基にして、ハッシュされた解読不能な値を作成し、そのハッシュ値と分割数から分割したファイルの並び順を作成して、個々にファイル名を決定する（Ｓ２０６）。この時、並び順は、分割数（５×５）の場合は、最大２５の階乗個考えられ、例えば、パスワードに対して分割数（５×５）の並び順は、図１１のように（１８,２０,２１,８,５,...１１,２）と設定されることになる。即ち、図１１に示すように、元の画像位置１８の分割ファイル名をImg5x5_001.jpg、元の画像位置２０の分割ファイル名をImg5x5_002.jpg、元の画像位置２１の分割ファイル名をImg5x5_003.jpg、...、元の画像位置１１の分割ファイル名をImg5x5_024.jpg、元の画像位置２の分割ファイル名をImg5x5_025.jpgとして保存される。
【００１７】
これで、オリジナル画像はばらばらに分割され、一見しただけでは何かわからない画像で保存された状態となる。これを解読するためには、ユーザはパズルを解くように時間を費やす必要がある。
【００１８】
次に分割された画像を印刷して復元するステップでは、以下のような手順になる。まず、印刷アプリケーションを用いて、フォルダ内に保存された分割画像を参照する（Ｓ２０７）。２５個すべてのファイルを選択して、割付印刷機能を用いて２５面を５×５upで1枚の紙に印刷しよう（Ｓ２０８）とするが、パスワードを入力しない場合には、保存されたファイル名順に並んでしまい、図１２の（Ａ）ような印刷結果となる。従って、アプリケーション（またはプリンタドライバ）のオプション機能でパスワードを入力する（Ｓ２０９）と復元された画像順にレイアウトしなおして印刷が行われ、図１０のように復元画像を取得できる（Ｓ２１０）。印刷が完了して、アプリケーションを終了すると、並べなおした画像のレイアウトを保持しないので、再び暗号化された状態に戻る。
【００１９】
また、セキュリティモードの画像方向を上下左右の四方向に設定した場合には、パスワードを入力しない場合には図１２の(Ｂ)のような印刷結果となる。
【実施例２】
【００２０】
本実施例では、複数画像を一括スキャンする場合（マルチクロップスキャン）で、パスワードは接続されたＭＦＰの本体シリアル番号（同じ機種でも同一のものは存在しない）によって自動設定・解除する方法の説明を行う。
【００２１】
まず、図１３のような４つの写真画像を原稿台に設置する。次に、スキャナドライバを起動して、ドライバスキャンモードをカラー（マルチスキャン）、原稿サイズを自動、セキュリティ分割スキャンを２×２、画像方向を四方向反転として、スキャンボタンを押す。スキャナドライバは、マルチクロップ処理を行い、４つのスキャン画像を取得する。次に、取得した４つの個々のスキャン画像を２×２にそれぞれ分割する（図１４）。同時に、スキャナドライバはＭＦＰと通信して、本体のシリアル番号を取得する。このシリアル番号をパスワードとして、取得した４つのスキャン画像を２×２に分割した画像ファイル名を決定し、PCに保存する。（図１５）
次に画像を印刷して復元するステップでは、以下のような手順になる。まず、印刷アプリケーションを用いて、フォルダ内に保存された分割画像を参照する。１６個すべてのファイルを選択して、割付印刷機能を用いて１６面を４×４upで1枚の紙に印刷する。しかしながら、スキャン時に読み込んだＭＦＰが接続されていない場合には、パスワードが不一致なため暗号化されたファイル名順に並んだままの状態（図１６）で印刷されるか、または、正しくないパスワードで生成された順番に並びかえた状態で印刷されてしまう。従って、スキャン時に読み込んだＭＦＰが接続されている場合には、印刷開始直前にプリンタドライバはＭＦＰと通信してパスワードとなる本体シリアル番号を取得して、復元された正しい画像順にレイアウトしなおして印刷が行われ、図１７のような復元画像を取得できる。
【００２２】
また、印刷プレビューで画像が判断できる場合は、印刷したい写真画像を指定して個別に写真画像１、２、３、４を印刷することも可能である。
【図面の簡単な説明】
【００２３】
【図１】本発明における１つの画像ファイルの画像暗号化から復号化して印刷するまでの一実施形態を示すシステム構成を示すブロック図である。
【図２】１つの画像ファイルの画像暗号化から復号化して印刷するまでフロー図である。
【図３】スキャナドライバＵＩを表示した図である。
【図４】スキャナドライバＵＩのスキャンモードを表示した図である。
【図５】スキャナドライバＵＩの出力解像度を表示した図である。
【図６】スキャナドライバＵＩの原稿サイズを表示した図である。
【図７】スキャナドライバＵＩのセキュリティ分割スキャンの画像方向を表示した図である。
【図８】パスワード入力画面を表示した図である。
【図９】原稿台に設置する写真画像の図である。
【図１０】スキャン画像を５×５分割したものを表示した図である。
【図１１】各分割画像をパスワードに基づき、ファイル名を決定した図である。
【図１２】パスワードを入力せずに５×５upで印刷した場合の結果を表示した図である。
【図１３】実施例２の場合における４つの写真画像を表示した図である。
【図１４】個々のスキャン画像を２×２に分割した画像を表示した図である。
【図１５】各分割画像をパスワードに基づき、ファイル名を決定した図である。
【図１６】スキャンしたＭＦＰに接続されないで印刷した場合を表示した図である。
【図１７】スキャンしたＭＦＰに接続して印刷した場合を表示した図である。
【図１】
2008053821.tif 000003
【図２】
2008053821.tif 000004
【図３】
2008053821.tif 000005
【図４】
2008053821.tif 000006
【図５】
2008053821.tif 000007
【図６】
2008053821.tif 000008
【図７】
2008053821.tif 000009
【図８】
2008053821.tif 000010
【図９】
2008053821.tif 000011
【図１０】
2008053821.tif 000012
【図１１】
2008053821.tif 000013
【図１２】
2008053821.tif 000014
【図１３】
2008053821.tif 000015
【図１４】
2008053821.tif 000016
【図１５】
2008053821.tif 000017
【図１６】
2008053821.tif 000018
【図１７】
2008053821.tif 000019